(57)【要約】  【課題】  本発明は、枠組足場を構成する枠状体の支柱に手すりを迅速、かつ、確実に作業能率よく取付け、また、取外すことが出来る、枠組足場における手すり用取付け材、及びそれを備えた手すりを提供するものである。  【解決手段】  取付け材１は、その一側外面に支柱１３の交さ筋かいピン１４に掛着せしめるべく所要数の掛止孔４付きステ−３が突設されると共に、同他側外面に手すり１０の掛止孔１１に掛着せしめるべく所要数の交さ筋かいピン５が突設されている。また、手すり１０は、その両端部に各々掛止孔１１が形成されると共に、その一端部には該掛止孔１１を介して上記取付け材１がその交さ筋かいピン５により倒起立自在に掛着されている。  【選択図】      図１
2005232935.tif 000002
【特許請求の範囲】
【請求項１】
枠組足場を構成する枠状体の交さ筋かいピン付き支柱間に掛止孔付き手すりを横架状に取付ける棒状の取付け材であって、上記取付け材の一側外面には支柱の交さ筋かいピンに掛着せしめるべく所要数の掛止孔付きステ−が突設されると共に、同他側外面には手すりの掛止孔に掛着せしめるべく所要数の交さ筋かいピンが突設されてなることを特徴とする
、枠組足場における手すり用取付け材。   
【請求項２】
枠組足場を構成する枠状体の交さ筋かいピン付き支柱間に横架自在とされた所要の長さを有する手すりであって、該手すりの両端部には各々掛止孔が形成されると共に、手すりの一端部には該掛止孔を介して請求項１記載の取付け材がその交さ筋かいピンにより倒起立自在に掛着されてなることを特徴とする、枠組足場用手すり。
【発明の詳細な説明】
【技術分野】
【０００１】
本発明は、建築現場等に枠組足場を構築するさいに使用する手すり用取付け部、及びそれを備えた手すりに関する。
【背景技術】
【０００２】
一般に、建築現場等に所要の枠組足場を構築せしめるさいには、支柱と横架材とからなる枠体や建わくなど所要の枠状体を交さ筋かいにより所定間隔でもって自立状に連結せしめると共に、根がらみを取付け、隣あう枠状体間に足場板を架設せしめつつ順次上方に連結し、所要の個所に階段や作業者の安全を確保せしめるべく手すりを取付けることにより構築するものとされている。
【０００３】
ところで、従来より、上記の手すりを枠状体に取付けるさいには、番線により結束して取付け、また、取外すさいには、番線を切断するなどしてその結束を解除せしめるものとされていた。
【０００４】
しかしながら、かかる番線による手すりの取付けは、その取付け作業が非常に面倒で手間がかかり、極めて作業能率が悪いのみならず、確実性において必ずしも満足し得ないものとなっていた。また、取外すさいには、結束番線を切断するなどしてその結束を解除せしめるものであるから、その作業が非常に面倒であり、しかも、番線を再利用することが出来ないものであって、ひいては、枠組足場の組立てコストが高くなる等の問題を生起せしめていた。
【０００５】
かかる従来の問題点を解決するものとして、特開平８−２３２４６１号公報（特許文献１）には、手すりの端部にクランプを可動自在に取付けたものが開示されている。
【０００６】
そして、上述の如く構成された従来例は、クランプを適正位置に可動せしめたのち、ボルトにより掴持作動せしめつつ枠状体に掴持して取付け、また、取外すさいにはクランプの掴持を解放するものとされている。
【０００７】
また、特開２００３−２１３９２８号公報（特許文献２）には、手すりの端部に断面Ｃ字形状とされた弾性を有する合成樹脂製取付け具を枢着せしめたものが開示されている。
【０００８】
そして、上述の如く構成された従来例は、取付け具をその弾性に抗して拡開せしめつつ
、枠組足場を構成する交さ筋かいに外嵌せしめたのち、取付け具自体の弾性復元力でもって掴持せしめて取付け、また、取外すさいには、取付け具をその弾性に抗して拡開せしめつつ交さ筋かいより解放するものとされている。
【特許文献１】特開平８−２３２４６１号公報
【特許文献２】特開２００３−２１３９２８号公報
【発明の開示】
【発明が解決しようとする課題】
【０００９】
ところで、上記特開平８−２３２４６１号公報に開示された従来例は、クランプでもって手すりを枠状体に取付けるものとされているから、その取付けを確実に行なうことが出来る反面、クランプをボルトにより掴持作動せしめて取付けるものであるから、その取付け作業が非常に面倒で手間がかかり、極めて作業能率が悪いものである。また、取外し時においても同様である。
【００１０】
また、特開２００３−２１３９２８号公報に開示された従来例は、断面Ｃ字形状とされた弾性を有する合成樹脂製取付け具でもって手すりを取付けるものであるから、その取付け作業を迅速に作業能率よく取付け、また、取外すことが出来る反面、金属材により形成された番線やクランプに比して強度的に劣り、安全性や耐久性の点において問題があるものであって、実用性において必ずしも満足し得ないものである。
【００１１】
本発明は従来の問題点を解決し、枠組足場を構成する枠状体の支柱に手すりを迅速、かつ、確実に作業能率よく取付け、また、取外すことが出来る、枠組足場における手すり用取付け材、及びそれを備えた手すりを提供しようとするものである。
【課題を解決するための手段】
【００１２】
上記目的を達成するため、請求項１記載の発明は、枠組足場を構成する枠状体の交さ筋かいピン付き支柱間に掛止孔付き手すりを横架状に取付ける棒状の取付け材であって、上記取付け材の一側外面には支柱の交さ筋かいピンに掛着せしめるべく所要数の掛止孔付きステ−が突設されると共に、同他側外面には手すりの掛止孔に掛着せしめるべく所要数の交さ筋かいピンが突設されてなることを特徴とする、枠組足場における手すり用取付け材を要旨とするものである。   
【００１３】
また、請求項２記載の発明は、枠組足場を構成する枠状体の交さ筋かいピン付き支柱間に横架自在とされた所要の長さを有する手すりであって、該手すりの両端部には各々掛止孔が形成されると共に、手すりの一端部には該掛止孔を介して請求項１記載の取付け材がその交さ筋かいピンにより倒起立自在に掛着されてなることを特徴とする、枠組足場用手すりを要旨とするものである。
【発明の効果】
【００１４】
請求項１記載の発明は上述のように構成されているから、取付け材を順次枠状体の支柱に沿わせつつ、ステ−の掛止孔を対応する支柱の交さ筋かいピンに掛止して掛着せしめると共に、隣あう取付け材の交さ筋かいピンに掛止孔を掛止して掛着せしめつつ手すりを支柱間に横架状に取付けることが出来るものであって、常に手すりを迅速、かつ、確実に作業能率よく取付けることが出来るのみならず、取外し時においても単に交さ筋かいピンの掛止を解除せしめることにより取付け材と共に手すりを簡便に作業能率よく取外すことが出来るものである。     
【００１５】
請求項２記載の発明は上述のように構成されているから、取付け材を順次枠状体の支柱に沿わせつつ、ステ−の掛止孔を支柱の交さ筋かいピンに掛止して掛着せしめると共に、取付け材の交さ筋かいピンを中心として手すりを起立せしめつつ、自由端側の掛止孔を隣あう取付け材の交さ筋かいピンに掛止せしめ、手すりを支柱間に横架状に取付けることが出来るものであって、常に手すりを迅速、かつ、確実に作業能率よく取付けることが出来るのみならず、取外し時においても、単に交さ筋かいピンの掛止を解除せしめることにより取付け材と共に手すりを簡便に作業能率よく取外すことが出来るものである。また、手すりの不使用時には、交さ筋かいピンを中心として取付け材を手すりに沿って倒伏せしめ
、コンパクトに折畳むことができるものであって、その保管や運搬のみならず、枠組足場の構築時における取扱いを容易に行なうことが出来るものである。
【発明を実施するための最良の形態】
【００１６】
以下に、本発明を実施するための最良の形態を図面に示す一実施例に基づいて説明する
。
【実施例】
【００１７】
図１乃至図７は本発明の一実施例を示すもので、同図中、１は棒状とされた手すり用取付け材、２は該取付け材１を構成する所要の径と長さを有する金属パイプ製本体、３は該本体２の上下端部外周面に各々突設されたステ−、４は該各ステ−３に穿孔された掛止孔で、該各掛止孔４は後記する支柱１３の上下部に突設された交さ筋かいピン１４に各々対応すべく設定せしめられている。５は上記ステ−３と直交すべく本体２のほぼ中位と下部外周面に各々突設された交さ筋かいピン、６は該各交さ筋かいピン５を構成する所要長の筒状本体、７は該本体６の先端部より基端方向に向けて切欠き形成された所要長の長孔状開口部、８は該開口部７を通して外方に突出せしめるべく本体６内に回動自在に軸着された抜止めプレ−トで、該抜止めプレ−ト８は本体６との間に介装された付勢バネ材９でもって常時外方に突出状に付勢せしめられている。１０は偏平状とされた両端部に各々掛止孔１１が穿孔されてなる金属製手すりで、該手すり１０は後記する建わく１２の支柱１３間に横架せしめるべく所要の長さに形成されると共に、各掛止孔１１は前記取付け材１の交さ筋かいピン５に掛着せしめるべく所要の内径に穿孔されている。
【００１８】
その他、１２は所要の枠組足場を構成する鳥居型建わく、１３は該建わく１２を構成する両側一対の支柱、１４は該支柱１３の上下部に各々突設された交さ筋かいピンで、該各交さ筋かいピン１４は交さ筋かいピン本体１５の先部に切欠き部を介して抜止めプレ−ト１６が回動自在に軸着されている。１７は建わく１２を連結して所定間隔毎に自立せしめる交さ筋かい、１８は自立せしめた建わく１２間につかみ金具（図示略）を介して架設せしめる足場板である。   
【００１９】
次に、上述の如く構成された取付け材１による手すり１０の取付けについて説明する。
まず、所要数の建わく１２を所定間隔毎に起立せしめつつ交さ筋かい１７により連結して自立せしめると共に、隣あう建わく１２間に足場板１８を敷設状に架設せしめつつ、順次上方に連結せしめる。そして、自立せしめた建わく１２の隣あう支柱１３間に取付け材１でもって手すり１０を横架状に取付ける。
即ち、取付け材１を順次建わく１２の支柱１３に沿わせつつ、ステ−３の掛止孔４を対応する支柱１３の交さ筋かいピン１４に掛止して掛着せしめる。しかるのち、掛着せしめた隣あう取付け材１の上下交さ筋かいピン５に掛止孔１１を掛止して掛着せしめ、手すり１０を支柱１３間に横架状に取付ける（図５乃至図７参照）。このさい、取付け材１は掛止孔４を介して支柱１３の交さ筋かいピン１４に、また、手すり１０は掛止孔１１を介して取付け材１の交さ筋かいピン５に各々掛着せしめるものであるから、その取付け作業を迅速、かつ、確実に、しかも作業能率よく行なうことが出来るものである。   
【００２０】
逆に、枠組足場を解体せしめる場合には、交さ筋かいピン５・１４の掛止を解除せしめつつ、順次手すり１０を取付け材１より、また、取付け材１を支柱１３より順次取外すとよい。このさい、単に交さ筋かいピン５・１４の掛止を解除せしめることにより手すり１０および取付け材１を取外すことが出来るものであるから、その取外し作業を容易に、しかも、迅速かつ確実に作業能率よく行うことが出来るものである。  
【００２１】
図８乃至図１０は他の発明の一実施例を示すもので、前記実施例の手すり１０が所定間隔でもって上下に並行配設されると共に、その一端部に取付け材１が交さ筋かいピン５を介して倒起立自在に掛着して連結せしめられた点が前記実施例と相違し、他の部分は同一であり、同一符号は同一部分を示す。         
【００２２】
そして、上述の如く構成された実施例は、取付け材１を起立して順次建わく１２の支柱１３に沿わせつつ、ステ−３の掛止孔４を支柱１３の交さ筋かいピン１４に掛止して掛着せしめる｛図１０（Ａ）参照｝。しかるのち、取付け材１の交さ筋かいピン５を支点として上下手すり１０の自由端を各々上方に向けて回動せしめ、その掛止孔１１を隣あう掛着済み取付け材１の交さ筋かいピン５に掛止して掛着せしめ、隣あう支柱１３間に手すり１０を取付ける｛図１０（Ｂ）（Ｃ）参照｝。このさい、取付け材１は掛止孔４を介して支柱１３の交さ筋かいピン１４に、また、手すり１０の自由端は掛止孔１１を介して隣あう取付け材１の交さ筋かいピン５に各々掛着せしめるものであるから、その取付け作業を迅速、かつ、確実に、しかも作業能率よく行なうことが出来るものである。
【００２３】
逆に、枠組足場を解体せしめる場合には、交さ筋かいピン５・１４の掛止を解除せしめることにより上下手すり１０の自由端を隣あう取付け材１より、また、取付け材１を支柱１３より各々取外すとよい。このさい、単に交さ筋かいピン５・１４の掛止を解除せしめることにより手すり１０及び取付け材１を取外すことが出来るものであるから、その取外し作業を容易に、しかも、迅速かつ確実に作業能率よく行なうことが出来るものである。
【００２４】
なお、上記実施例において、取付け材１には２個の交さ筋かいピン５が取付けられているが、その個数に限定されるものでなく、必要に応じてその個数を増減せしめてもよいものである。また、手すり１０は取付け材１を介して上下２段に設けるものとされているが
、必要に応じてその個数を増減せしめてもよいものである。さらに、取付け材１に取付けられた交さ筋かいピン５の構造は上記実施例に限定されるものでなく、これに類した他の公知の交さ筋かいピンを用いてもよいものである。さらに加えて、上記実施例は建わく１２に適用せしめるものとされているが、支柱と横架材とよりなる枠体など他の公知の枠組足場用枠状体にも適用せしめることが出来るものである。
【図面の簡単な説明】
【００２５】
【図１】本発明の取付け材１を示す斜視図である。
【図２】実施例の交さ筋かいピン５を示す斜視図である。
【図３】実施例の交さ筋かいピン５を示す一部破砕断面図である。
【図４】実施例の取付け材１に手すり１０を取付ける状態を示す側面図である。
【図５】実施例の取付け材１により手すり１０を支柱１３に取付けた状態を示す側面図である。
【図６】実施例の取付け材１により手すり１０を支柱１３に取付けた状態を示す一部拡大平面図である。
【図７】実施例の取付け材１により手すり１０を支柱１３に取付けた状態を示す一部拡大側面図である。
【図８】他の発明の手すり１０を示す側面図である。
【図９】実施例の手すり１０を折畳んだ状態を示す側面図である。
【図１０】実施例の手すり１０の取付け状態を示す側面図である。
【符号の説明】
【００２６】
１    取付け材
２    本体
３    ステ−
４    掛止孔
５    交さ筋かいピン
１０  手すり
１１  掛止孔
１２  建わく
１３  支柱
１４  交さ筋かいピン
【図１】
2005232935.tif 000003
【図２】
2005232935.tif 000004
【図３】
2005232935.tif 000005
【図４】
2005232935.tif 000006
【図５】
2005232935.tif 000007
【図６】
2005232935.tif 000008
【図７】
2005232935.tif 000009
【図８】
2005232935.tif 000010
【図９】
2005232935.tif 000011
【図１０】
2005232935.tif 000012